(57)【要約】      （修正有）【課題】データ線の異常電圧が発光素子の輝度に与える影響を低減する。【解決手段】電気光学装置は、データ線と、画素回路と、駆動回路と、第１電極とデータ線に接続された第２電極とを有する第１保持容量とを具備する。画素回路は、発光素子と、ゲート・ソース間の電圧Ｖgsに応じた駆動電流Ｉdsを発光素子に供給する第１トランジスターと、データ線と第１トランジスターのゲートノードとを電気的に導通させるオン状態と絶縁させるオフ状態とに切替えられる第２トランジスターとを具備する。駆動回路は、第１期間（供給期間）において、画素回路における第２トランジスターをオフ状態に制御した状態で、指定階調に応じた電位のデータ信号を第１電極に供給し、第１期間に続く第２期間（書込期間）において、第２トランジスターをオン状態に制御する。【選択図】図４
2015004907.tif 000002
【特許請求の範囲】
【請求項１】
データ線と、
前記データ線に対応して設けられた画素回路と、
前記画素回路を駆動する駆動回路と、
第１電極と前記データ線に接続された第２電極とを有する第１保持容量と
を具備し、
前記画素回路は、
駆動電流に応じた輝度で発光する発光素子と、
ゲート・ソース間の電圧に応じた駆動電流を前記発光素子に供給する第１トランジスターと、
前記データ線と前記第１トランジスターのゲートとを電気的に導通させるオン状態と絶縁させるオフ状態とに切替えられる第２トランジスターとを具備し、
前記駆動回路は、
第１期間において、前記第２トランジスターをオフ状態に制御した状態で、指定階調に応じた電位のデータ信号を前記第１電極に供給し、前記第１期間に続く第２期間において、前記第２トランジスターをオン状態に制御する
電気光学装置。
【請求項２】
前記画素回路は、
前記第１トランジスターのゲートと一方の電流端とを電気的に導通させるオン状態と絶縁させるオフ状態とに切替えられる第３トランジスターを具備し、
前記駆動回路は、
第３期間において、前記画素回路における前記第３トランジスターをオン状態にして当該画素回路における前記第１トランジスターの閾値電圧を生成し、前記第２期間において、指定階調と生成した前記閾値電圧とに応じた駆動電流を前記発光素子に供給する
請求項１の電気光学装置。
【請求項３】
第１データ線と、
第２データ線と、
前記第１データ線に対応して設けられた第１画素回路と、
前記第２データ線に対応して設けられた第２画素回路と、
第１電極と前記第１データ線に接続された第２電極とを有する第１保持容量と、
第３電極と前記第２データ線に接続された第４電極とを有する第２保持容量と、
前記第１画素回路および前記第２画素回路を駆動する駆動回路と
を具備し、
前記第１画素回路は、
駆動電流に応じた輝度で発光する第１発光素子と、
ゲート・ソース間の電圧に応じた駆動電流を前記第１発光素子に供給する第１トランジスターと、
前記第１データ線と前記第１トランジスターのゲートとを電気的に導通させるオン状態と絶縁させるオフ状態とに切替えられる第２トランジスターとを具備し、
前記第２画素回路は、
駆動電流に応じた輝度で発光する第２発光素子と、
ゲート・ソース間の電圧に応じた駆動電流を前記第２発光素子に供給する第３トランジスターと、
前記第２データ線と前記第３トランジスターのゲートとを電気的に導通させるオン状態と絶縁させるオフ状態とに切替えられる第４トランジスターとを具備し、
前記駆動回路は、
第１期間において、前記第２トランジスターをオフ状態に制御した状態で、指定階調に応じた電位のデータ信号を前記第１電極に供給し、その後に前記第４トランジスターをオフ状態に制御した状態で、指定階調に応じた電位のデータ信号を前記第３電極に供給し、
前記第１期間に続く第２期間において、前記第２トランジスターおよび前記第４トランジスターをオン状態に制御する
電気光学装置。
【請求項４】
前記第１画素回路は、前記第１発光素子に供給される駆動電流の経路上に設けられた第５トランジスターを具備し、
前記第２画素回路は、前記第２発光素子に供給される駆動電流の経路上に設けられた第６トランジスターを具備し、
前記駆動回路は、前記第２期間に続く第４期間において、前記第５トランジスターおよび前記第６トランジスターをオン状態にする
請求項３の電気光学装置。
【請求項５】
請求項１から請求項４の何れかの電気光学装置を具備する電子機器。
【請求項６】
データ線と、
前記データ線に対応して設けられた画素回路と、
前記画素回路を駆動する駆動回路と、
第１電極と前記データ線に接続された第２電極とを有する第１保持容量と
を具備し、
前記画素回路は、
駆動電流に応じた輝度で発光する発光素子と、
ゲート・ソース間の電圧に応じた駆動電流を前記発光素子に供給する第１トランジスターと、
前記データ線と前記第１トランジスターのゲートとを電気的に導通させるオン状態と絶縁させるオフ状態とに切替えられる第２トランジスターと、を具備する電気光学装置の駆動方法であって、
第１期間において、前記第２トランジスターをオフ状態に制御した状態で、指定階調に応じた電位のデータ信号を前記第１電極に供給し、前記第１期間に続く第２期間において、前記第２トランジスターをオン状態に制御する
電気光学装置の駆動方法。
【発明の詳細な説明】
【技術分野】
【０００１】
本発明は、例えば画素回路が微細化したときに有効な電気光学装置、電気光学装置の駆動方法および電子機器に関する。
【背景技術】
【０００２】
近年、有機発光ダイオード（Organic Light Emitting Diode、以下「ＯＬＥＤ」という）素子などの発光素子を用いた電気光学装置が各種提案されている。この電気光学装置では、走査線とデータ線との交差に対応して、上記発光素子やトランジスターなどを含む画素回路が、表示すべき画像の画素に対応して設けられる構成が一般的である。このような構成において、画素の階調レベルに応じた電位のデータ信号が当該トランジスターのゲートに印加されると、当該トランジスターは、ゲート・ソース間の電圧に応じた電流を発光素子に供給する。これにより、当該発光素子は、階調レベルに応じた輝度で発光する（例えば特許文献１参照）。
また、電気光学装置に対して、表示サイズの小型化や表示の高精細化が要求されることが多い。表示サイズの小型化と表示の高精細化とを両立するためには、画素回路を微細化する必要があるので、電気光学装置を例えばシリコン集積回路に設ける技術も提案されている（例えば特許文献２参照）。
【先行技術文献】
【特許文献】
【０００３】
【特許文献１】特開２００７−３１６４６２号公報
【特許文献２】特開２００９−２８８４３５号公報
【発明の概要】
【発明が解決しようとする課題】
【０００４】
ところで、画素回路を微細化したとき、発光素子への供給電流を微小領域で制御する必要がある。発光素子に供給される電流は、トランジスターのゲート・ソース間の電圧によって制御されるが、微小領域では、ゲート・ソース間の電圧のわずかな変化に対して、発光素子に供給される電流が大きく変化してしまう。一方、データ信号を出力する回路は、データ線を短時間で充電するために、その駆動能力が高められている。このように高い駆動能力を有する回路において、非常に細かい精度でデータ信号を出力させることは困難である。本発明は、上述した事情に鑑みてなされたもので、その目的の一つは、細かい精度のデータ信号を必要としない一方で、発光素子に供給する電流を精度良く制御することが可能な電気光学装置、電気光学装置の駆動方法および電子機器を提供することにある。
【課題を解決するための手段】
【０００５】
本発明の第１の態様に係る電気光学装置は、データ線と、データ線に対応して設けられた画素回路と、画素回路を駆動する駆動回路と、第１電極とデータ線に接続された第２電極とを有する第１保持容量とを具備し、画素回路は、駆動電流に応じた輝度で発光する発光素子と、ゲート・ソース間の電圧に応じた駆動電流を発光素子に供給する第１トランジスターと、データ線と第１トランジスターのゲートとを電気的に導通させるオン状態と絶縁させるオフ状態とに切替えられる第２トランジスターとを具備し、駆動回路は、第１期間において、第２トランジスターをオフ状態に制御した状態で、指定階調に応じた電位のデータ信号を第１電極に供給し、第１期間に続く第２期間において、第２トランジスターをオン状態に制御する。
以上の構成によれば、第１期間で指定階調に応じた電位のデータ信号が第１保持容量の第１電極に供給されたとき、データ線の電位は、第１保持容量およびデータ線の容量の容量比で当該第１保持容量の電位を分圧した分だけシフトされ、第２期間で第１トランジスターのゲートに供給される。このため、本発明によれば、第１トランジスターのゲートの電位の範囲は、データ信号の電位範囲に対し狭められる。したがって、第１トランジスターのゲート・ソース間の電圧変化に対する電流変化が大きい場合にも、正確に電流を制御することができる。
以上のようにデータ信号を第１保持容量の第１電極に供給する構成では、第１電極に対してデータ信号の供給を開始した直後にデータ線の電位が不安定に変動する可能性がある。本発明では、第１電極にデータ信号が供給される第１期間にて、第２トランジスターがオフ状態に制御されることでデータ線と第１トランジスターのゲートとは電気的に絶縁されるから、第１電極にデータ信号を供給した直後におけるデータ線の電位の不安定な変動が第１トランジスターのゲートまで波及しない。したがって、例えば第２トランジスターをオン状態に制御した状態で第１電極にデータ信号を供給する構成と比較して、第１トランジスターのゲートの電位がデータ信号に応じた目標の電位に高精度に設定され、結果的に発光素子の輝度の誤差を低減する（ひいては表示品位を向上する）ことが可能である。
【０００６】
本発明の好適な態様において、画素回路は、第１トランジスターのゲートと一方の電流端とを電気的に導通させるオン状態と絶縁させるオフ状態とに切替えられる第３トランジスターを具備し、駆動回路は、第３期間において、画素回路における第３トランジスターをオン状態にして当該画素回路における第１トランジスターの閾値電圧を生成し、第２期間において、指定階調と生成した閾値電圧とに応じた駆動電流を発光素子に供給する。以上の構成によれば、指定階調と閾値電圧とに応じた駆動電流が発光素子に供給されるため、第１トランジスターの閾値電圧の誤差（画素回路毎の相違や設計値からの相違）が補償されて、指定階調に応じた電流が高精度に発光素子に供給される。したがって、発光素子の輝度の誤差（表示ムラ）が抑制された高品位の表示が可能になる。
【０００７】
本発明の第２の態様に係る電気光学装置は、第１データ線と、第２データ線と、第１データ線に対応して設けられた第１画素回路と、第２データ線に対応して設けられた第２画素回路と、第１電極と第１データ線に接続された第２電極とを有する第１保持容量と、第３電極と第２データ線に接続された第４電極とを有する第２保持容量と、第１画素回路および第２画素回路を駆動する駆動回路とを具備し、第１画素回路は、駆動電流に応じた輝度で発光する第１発光素子と、ゲート・ソース間の電圧に応じた駆動電流を第１発光素子に供給する第１トランジスターと、第１データ線と第１トランジスターのゲートとを電気的に導通させるオン状態と絶縁させるオフ状態とに切替えられる第２トランジスターとを具備し、第２画素回路は、駆動電流に応じた輝度で発光する第２発光素子と、ゲート・ソース間の電圧に応じた駆動電流を第２発光素子に供給する第３トランジスターと、第２データ線と第３トランジスターのゲートとを電気的に導通させるオン状態と絶縁させるオフ状態とに切替えられる第４トランジスターとを具備し、駆動回路は、第１期間において、第２トランジスターをオフ状態に制御した状態で、指定階調に応じた電位のデータ信号を第１電極に供給し、その後に第４トランジスターをオフ状態に制御した状態で、指定階調に応じた電位のデータ信号を第３電極に供給し、第１期間に続く第２期間において、第２トランジスターおよび第４トランジスターをオン状態に制御する。以上の構成によれば、上述した第１の態様と同様に、第１トランジスターのゲートおよび第３トランジスターのゲートにおける電位の範囲が、データ信号の電位範囲に対し狭められる。また、第２期間において、第１画素回路の第２トランジスターと第２画素回路の第４トランジスターとが一斉に制御されるため、第２トランジスターと第４トランジスターとを個別の期間に制御する構成と比較して、各画素回路の制御が簡素化されるという利点もある。
【０００８】
本発明の好適な態様において、第１画素回路は、第１発光素子に供給される駆動電流の経路上に設けられた第５トランジスターを具備し、第２画素回路は、第２発光素子に供給される駆動電流の経路上に設けられた第６トランジスターを具備し、駆動回路は、第２期間に続く第４期間において、第５トランジスターおよび第６トランジスターをオン状態にする。以上の構成によれば、第４期間において、第５トランジスターおよび第６トランジスターをオン状態にすることにより、各発光素子の発光・非発光を制御することが出来る。
【０００９】
なお、本発明は、電気光学装置のほか、電気光学装置の駆動方法や、当該電気光学装置を有する電子機器として概念することも可能である。電子機器としては、典型的にはヘッドマウント・ディスプレイ（ＨＭＤ）や電子ビューファイダーなどの表示装置が挙げられる。
【図面の簡単な説明】
【００１０】
【図１】本発明の第１実施形態に係る電気光学装置の構成を示す斜視図である。
【図２】同電気光学装置の構成を示す図である。
【図３】同電気光学装置における画素回路を示す図である。
【図４】同電気光学装置の動作を示すタイミングチャートである。
【図５】同電気光学装置の動作説明図である。
【図６】同電気光学装置の動作説明図である。
【図７】同電気光学装置の動作説明図である。
【図８】同電気光学装置の動作説明図である。
【図９】同電気光学装置の動作説明図である。
【図１０】同電気光学装置の動作説明図である。
【図１１】同電気光学装置におけるデータ信号の振幅圧縮を示す図である。
【図１２】第２実施形態に係る電気光学装置の構成を示す図である。
【図１３】同電気光学装置における画素回路を示す図である。
【図１４】同電気光学装置の動作を示すタイミングチャートである。
【図１５】同電気光学装置の動作説明図である。
【図１６】同電気光学装置の動作説明図である。
【図１７】同電気光学装置の動作説明図である。
【図１８】同電気光学装置の動作説明図である。
【図１９】同電気光学装置の動作説明図である。
【図２０】第３実施形態に係る電気光学装置の構成を示す図である。
【図２１】同電気光学装置の動作を示すタイミングチャートである。
【図２２】同電気光学装置の動作説明図である。
【図２３】同電気光学装置の動作説明図である。
【図２４】同電気光学装置の動作説明図である。
【図２５】同電気光学装置の動作説明図である。
【図２６】同電気光学装置の動作説明図である。
【図２７】実施形態等に係る電気光学装置を用いたＨＭＤを示す斜視図である。
【図２８】ＨＭＤの光学構成を示す図である。
【発明を実施するための形態】
【００１１】
以下、本発明を実施するための形態について図面を参照して説明する。
【００１２】
＜第１実施形態＞
図１は、本発明の実施形態に係る電気光学装置１０の構成を示す斜視図である。
電気光学装置１０は、例えばヘッドマウント・ディスプレイにおいて画像を表示するマイクロ・ディスプレイである。電気光学装置１０の詳細については後述するが、複数の画素回路や当該画素回路を駆動する駆動回路などが例えばシリコン基板に形成された有機ＥＬ装置であり、画素回路には、発光素子の一例であるＯＬＥＤが用いられている。
電気光学装置１０は、表示部で開口する枠状のケース７２に収納されるとともに、ＦＰＣ（Flexible Printed Circuits）基板７４の一端が接続されている。ＦＰＣ基板７４には、半導体チップの制御回路５が、ＣＯＦ（Chip On Film）技術によって実装されるとともに、複数の端子７６が設けられて、図示省略された上位回路に接続される。当該上位回路から複数の端子７６を介して画像データが同期信号に同期して供給される。同期信号には、垂直同期信号や、水平同期信号、ドットクロック信号が含まれる。また、画像データは、表示すべき画像の画素の指定階調（階調レベル）を例えば８ビットで規定する。
制御回路５は、電気光学装置１０の電源回路とデータ信号出力回路との機能を兼用するものである。すなわち、制御回路５は、同期信号にしたがって生成した各種の制御信号や各種電位を電気光学装置１０に供給するほか、デジタルの画像データをアナログのデータ信号に変換して、電気光学装置１０に供給する。
【００１３】
図２は、第１実施形態に係る電気光学装置１０の構成を示す図である。この図に示されるように、電気光学装置１０は、走査線駆動回路２０と、デマルチプレクサ３０と、レベルシフト回路４０と、表示部１００とに大別される。
このうち、表示部１００には、表示すべき画像の画素に対応した画素回路１１０がマトリクス状に配列されている。詳細には、表示部１００において、ｍ行の走査線１２が図において横方向に延在して設けられ、また、３列毎にグループ化された（３ｎ）列のデータ線１４が図において縦方向に延在し、かつ、各走査線１２と互いに電気的な絶縁を保って設けられている。そして、ｍ行の走査線１２と（３ｎ）列のデータ線１４との交差部に対応して画素回路１１０が設けられている。このため、本実施形態において画素回路１１０は、縦ｍ行×横（３ｎ）列でマトリクス状に配列されている。
【００１４】
ここで、ｍ、ｎは、いずれも自然数である。走査線１２および画素回路１１０のマトリクスのうち、行（ロウ）を区別するために、図において上から順に１、２、３、…、（ｍ−１）、ｍ行と呼ぶ場合がある。同様にデータ線１４および画素回路１１０のマトリクスの列（カラム）を区別するために、図において左から順に１、２、３、…、（３ｎ−１）、（３ｎ）列と呼ぶ場合がある。また、データ線１４のグループを一般化して説明するために、１以上ｎ以下の整数ｊを用いると、左から数えてｊ番目のグループには、（３ｊ−２）列目、（３ｊ−１）列目および（３ｊ）列目のデータ線１４が属している、ということになる。
なお、同一行の走査線１２と同一グループに属する３列のデータ線１４との交差に対応した３つの画素回路１１０は、それぞれＲ（赤）、Ｇ（緑）、Ｂ（青）の画素に対応して、これらの３画素が表示すべきカラー画像の１ドットを表現する。すなわち、本実施形態では、ＲＧＢに対応したＯＬＥＤの発光によって１ドットのカラーを加法混色で表現する構成となっている。
【００１５】
さて、電気光学装置１０には、次のような制御信号が制御回路５によって供給される。詳細には、電気光学装置１０には、走査線駆動回路２０を制御するための制御信号Ｃtrと、デマルチプレクサ３０での選択を制御するための制御信号Ｓel(1)、Ｓel(2)、Ｓel(3)と、これらの信号に対して論理反転の関係にある制御信号／Ｓel(1)、／Ｓel(2)、／Ｓel(3)と、レベルシフト回路４０を制御するための負論理の制御信号／Ｇiniとが供給される。なお、制御信号Ｃtrには、実際にはパルス信号や、クロック信号、イネーブル信号など、複数の信号が含まれる。
また、電気光学装置１０には、デマルチプレクサ３０での選択タイミングに合わせてデータ信号Ｖd(1)、Ｖd(2)、…、Ｖd(n)が、１、２、…、ｎ番目のグループに対応して制御回路５によって供給される。なお、データ信号Ｖd(1)〜Ｖd(n)が取り得る電位の最高値をＶmaxとし、最低値をＶminとする。
【００１６】
走査線駆動回路２０は、フレームの期間にわたって走査線１２を１行毎に順番に走査するための走査信号を、制御信号Ｃtrにしたがって生成するものである。ここで、１、２、３、…、（ｍ−１）、ｍ行目の走査線１２に供給される走査信号を、それぞれＧwr(1)、Ｇwr(2)、Ｇwr(3)、…、Ｇwr(m-1)、Ｇwr(m)と表記している。
なお、走査線駆動回路２０は、走査信号Ｇwr(1)〜Ｇwr(m)のほかにも、当該走査信号に同期した各種の制御信号を行毎に生成して表示部１００に供給するが、図２においては図示を省略している。また、フレームの期間とは、電気光学装置１０が１カット（コマ）分の画像を表示するのに要する期間をいい、例えば同期信号に含まれる垂直同期信号の周波数が１２０Ｈｚであれば、その１周期分の８．３ミリ秒の期間である。
【００１７】
デマルチプレクサ３０は、列毎に設けられたトランスミッションゲート３４の集合体であり、各グループを構成する３列に、データ信号を順番に供給するものである。
ここで、ｊ番目のグループに属する（３ｊ−２）、（３ｊ−１）、（３ｊ）列に対応したトランスミッションゲート３４の入力端は互いに共通接続されて、その共通端子にそれぞれデータ信号Ｖd(j)が供給される。
ｊ番目のグループにおいて左端列である（３ｊ−２）列に設けられたトランスミッションゲート３４は、制御信号Ｓel(1)がＨレベルであるとき（制御信号／Ｓel(1)がＬレベルであるとき）にオン（導通）する。同様に、ｊ番目のグループにおいて中央列である（３ｊ−１）列に設けられたトランスミッションゲート３４は、制御信号Ｓel(2)がＨレベルであるとき（制御信号／Ｓel(2)がＬレベルであるとき）にオンし、ｊ番目のグループにおいて右端列である（３ｊ）列に設けられたトランスミッションゲート３４は、制御信号Ｓel(3)がＨレベルであるとき（制御信号／Ｓel(3)がＬレベルであるとき）にオンする。
【００１８】
レベルシフト回路４０は、保持容量４４とＰチャネルＭＯＳ型のトランジスター４５とＮチャネルＭＯＳ型のトランジスター４６との組を列毎にそれぞれ有し、各列のトランスミッションゲート３４の出力端から出力されるデータ信号の電位をシフトするものである。ここで、保持容量４４は第１電極ｈ1と第２電極ｈ2とを有する。保持容量４４の第１電極ｈ1は、トランスミッションゲート３４の出力端とトランジスター４６のドレインノードとに接続される一方、保持容量４４の第２電極ｈ2は、対応する列のデータ線１４とトランジスター４５のドレインノードとに接続される。また、図２では省略しているが、保持容量４４の容量をＣrf1とする。
【００１９】
各列のトランジスター４５のソースノードには初期電位Ｖiniが各列にわたって共通に給電され、ゲートノードには制御信号／Ｇiniが各列にわたって共通に供給される。また、各列のトランジスター４６のソースノードには、電位Ｖrefが各列にわたって共通に給電され、ゲートノードには、制御信号／ＧiniをＮＯＴ回路１８によって論理反転した信号が各列にわたって共通に供給される。
したがって、本実施形態において、各列のトランジスター４５、４６は、制御信号／ＧiniがＬレベルであるときに一斉にオンし、制御信号／ＧiniがＨレベルであるときに一斉にオフする構成となっている。
【００２０】
保持容量５０は、データ線１４毎に設けられている。詳細には、保持容量５０の一端はデータ線１４に接続され、他端は、各列にわたって共通の例えば電位Ｖssに接地されている。このため、保持容量５０は、データ線１４の電位を保持する。
なお、保持容量５０については、図２では表示部１００の外側に設けられているが、これはあくまでも等価回路であり、表示部１００の内側、または、内側から外側にわたって設けられも良いのはもちろんである。また、図２では省略しているが、保持容量５０の容量をＣdtとする。電位Ｖssは、論理信号である走査信号や制御信号のＬレベルに相当する。
【００２１】
本実施形態では、便宜的に走査線駆動回路２０、デマルチプレクサ３０およびレベルシフト回路４０に分けているが、これらについては、画素回路１１０を駆動する駆動回路としてまとめて概念することが可能である。
【００２２】
図３を参照して画素回路１１０について説明する。各画素回路１１０については電気的にみれば互いに同一構成なので、ここでは、ｉ行目であって、ｊ番目のグループのうち左端列の（３ｊ−２）列目に位置するｉ行（３ｊ−２）列の画素回路１１０を例にとって説明する。
なお、ｉは、画素回路１１０が配列する行を一般的に示す場合の記号であって、１以上ｍ以下の整数である。
【００２３】
図３に示されるように、画素回路１１０は、ＰチャネルＭＯＳ型のトランジスター１２１、１２２、１２４と、ＯＬＥＤ１３０と、保持容量１３２とを含む。
この画素回路１１０には、走査信号Ｇwr(i)、制御信号Ｇel(i)が供給される。ここで、走査信号Ｇwr(i)、制御信号Ｇel(i)は、それぞれｉ行目に対応して走査線駆動回路２０によって供給されるものである。このため、走査信号Ｇwr(i)、制御信号Ｇel(i)は、ｉ行目であれば、着目している（３ｊ−２）列以外の他の列の画素回路にも共通に供給される。
【００２４】
ｉ行（３ｊ−２）列の画素回路１１０におけるトランジスター１２２にあっては、ゲートノードがｉ行目の走査線１２に接続され、ドレインまたはソースノードの一方が（３ｊ−２）列目のデータ線１４に接続され、他方がトランジスター１２１におけるゲートノードと、保持容量１３２の一端とにそれぞれ接続されている。ここで、トランジスター１２１のゲートノードについては、他のノードと区別するためにｇと表記する。
トランジスター１２１にあっては、ソースノードが給電線１１６に接続され、ドレインノードがトランジスター１２４のソースノードに接続されている。ここで、給電線１１６には、画素回路１１０において電源の高位側となる電位Ｖelが給電される。
トランジスター１２４にあって、ゲートノードにはｉ行目に対応した制御信号Ｇel(i)が供給され、ドレインノードがＯＬＥＤ１３０のアノードに接続されている。
【００２５】
保持容量１３２の他端は、給電線１１６に接続される。このため、保持容量１３２は、トランジスター１２１のゲート・ソース間の電圧を保持する。ここで、保持容量１３２の容量をＣpixと表記したとき、保持容量５０の容量Ｃdtと、保持容量４４の容量Ｃrf1と、保持容量１３２の容量Ｃpixとは、ＣdtはＣrf1よりも大きく、ＣpixはＣdtおよびＣrf1よりも十分に小さくなるように設定される。
なお、保持容量１３２としては、トランジスター１２１のゲートノードｇに寄生する容量を用いても良いし、シリコン基板において互いに異なる導電層で絶縁層を挟持することによって形成される容量を用いても良い。
【００２６】
本実施形態において電気光学装置１０はシリコン基板に形成されるので、トランジスター１２１、１２２、１２４の基板電位については電位Ｖelとしている。
【００２７】
ＯＬＥＤ１３０のアノードは、画素回路１１０毎に個別に設けられる画素電極である。これに対して、ＯＬＥＤ１３０のカソードは、画素回路１１０のすべてにわたって共通の共通電極１１８であり、画素回路１１０において電源の低位側となる電位Ｖctに保たれている。
ＯＬＥＤ１３０は、上記シリコン基板において、アノードと光透過性を有するカソードとで白色有機ＥＬ層を挟持した素子である。そして、ＯＬＥＤ１３０の出射側（カソード側）にはＲＧＢのいずれかに対応したカラーフィルターが重ねられる。
このようなＯＬＥＤ１３０において、アノードからカソードに電流が流れると、アノードから注入された正孔とカソードから注入された電子とが有機ＥＬ層で再結合して励起子が生成され、白色光が発生する。このときに発生した白色光は、シリコン基板（アノード）とは反対側のカソードを透過し、カラーフィルターによる着色を経て、観察者側に視認される構成となっている。
【００２８】
＜第１実施形態の動作＞
図４を参照して電気光学装置１０の動作について説明する。図４は、電気光学装置１０における各部の動作を説明するためのタイミングチャートである。なお、この図において、電圧振幅を示す縦スケールは、説明便宜のために必ずしも一致していない（以下の図１４、図２１においても同様である）。
【００２９】
この図に示されるように、走査信号Ｇwr(1)〜Ｇwr(m)が順次Ｌレベルに切り替えられて、１フレームの期間において１〜ｍ行目の走査線１２が１水平走査期間（Ｈ）毎に順番に走査される。
１水平走査期間（Ｈ）での動作は、各行の画素回路１１０にわたって共通である。そこで以下については、ｉ行目が水平走査される走査期間において、特にｉ行（３ｊ−２）列の画素回路１１０について着目して動作を説明する。
【００３０】
本実施形態ではｉ行目の走査期間は、大別すると、図４において（ｂ）で示される初期化期間と（ｄ）で示される供給期間と（ｅ）で示される書込期間とに分けられる。そして、（ｅ）の書込期間の後、間をおいて（ａ）で示される発光期間となり、１フレームの期間経過後に再びｉ行目の走査期間に至る。このため、時間の順でいえば、（発光期間）→初期化期間→供給期間→書込期間→（発光期間）というサイクルの繰り返しとなる。
【００３１】
＜発光期間＞
説明の便宜上、初期化期間の前提となる発光期間から説明する。図４に示されるように、ｉ行目の発光期間では、走査信号Ｇwr(i)がＨレベルであり、制御信号Ｇel(i)はＬレベルである。
このため、図５に示されるようにｉ行（３ｊ−２）列の画素回路１１０においては、トランジスター１２４がオンする一方、トランジスター１２２がオフする。したがって、トランジスター１２１は、保持容量１３２によって保持された電圧、すなわちゲート・ソース間の電圧Ｖgsに応じた電流ＩdsをＯＬＥＤ１３０に供給する。後述するように発光期間におけるゲートノードｇの電位は、指定階調に応じた電位のデータ信号を保持容量４４、５０の容量比に応じてレベルシフトした値であるので、電圧Ｖgsについては、指定階調に応じた電圧ということになる。このため、トランジスター１２１は、指定階調に応じた電流を供給するので、ＯＬＥＤ１３０は、当該電流に応じた輝度で発光することになる。
【００３２】
なお、ｉ行目の発光期間は、ｉ行目以外が水平走査される期間であるから、データ線１４の電位は適宜変動する。ただし、ｉ行目の画素回路１１０においては、トランジスター１２２がオフしているので、ここでは、データ線１４の電位変動を考慮していない。
また、図５においては、動作説明で重要となる経路を太線で示している（以下の図６〜図１０、図１５〜図１９、図２２〜図２５においても同様である）。
【００３３】
＜初期化期間＞
次にｉ行目の走査期間に至ると、まず、（ｂ）の初期化期間が開始する。初期化期間では、発光期間と比較して、制御信号Ｇel(i)がＨレベルになる。このため、図６に示されるように、ｉ行（３ｊ−２）列の画素回路１１０においてはトランジスター１２４がオフする。これによってＯＬＥＤ１３０に供給される電流の経路が遮断されるので、ＯＬＥＤ１３０は、オフ（非発光）状態となる。また、初期化期間においては制御信号／ＧiniがＬレベルになるので、レベルシフト回路４０においては、図６に示されるようにトランジスター４５、４６がそれぞれオンする。このため、保持容量４４の第１電極ｈ1は電位Ｖrefに、保持容量４４の第２電極ｈ2（およびデータ線１４）は電位Ｖiniに、それぞれ初期化される。
【００３４】
初期化期間では、続いて制御信号／ＧiniがＬレベルの状態で、走査信号Ｇwr(i)がＬレベルとなる。このため、図７に示されるように、ｉ行（３ｊ−２）列の画素回路１１０ではトランジスター１２２がオンするので、ゲートノードｇがデータ線１４に電気的に接続された状態になる。したがって、ゲートノードｇも電位Ｖiniになるので、保持容量１３２の保持電圧は、発光期間において保持していた電圧から、（Ｖel−Ｖini）に初期化される。
【００３５】
＜供給期間＞
初期化期間の後に（ｄ）の供給期間に至る。供給期間では、図４に示すように、制御信号／ＧiniがＨレベルになるので、レベルシフト回路４０ではトランジスター４５、４６がそれぞれオフする。また、走査信号Ｇwr(i)がＨレベルになるので、トランジスター１２２がオフする。すなわち、供給期間においては、トランジスター１２１のゲートノードｇとデータ線１４との絶縁が維持される。
【００３６】
図８に示されるように、保持容量４４の第２電極ｈ2からｉ行（３ｊ−２）列の画素回路１１０におけるトランジスター１２２に至るまでの経路（すなわちデータ線１４）は、フローティング状態になるものの、保持容量５０の他端が電位Ｖssに接地されているので、データ線１４の電位Ｖdataはトランスミッションゲート３４のオンによってデータ信号が供給されるまで、電位Ｖiniに維持される。
【００３７】
続いて供給期間においては、図４に示すように、走査信号Ｇwr(i)をＨレベルに維持した状態で、制御回路５はデータ信号を供給する。具体的には、制御回路５は、ｊ番目のグループでいえば、データ信号Ｖd(j)を順番に、ｉ行目であって当該グループに属する左端列の（３ｊ−２）列、中央列の（３ｊ−１）列、右端列の（３ｊ）列の画素の指定階調に応じた電位に順番に切り替える。制御回路５は、他のグループへのデータ信号についても、同様に電位を順番に切り替える。
一方、制御回路５は、データ信号の電位の切り替えに合わせて制御信号Ｓel(1)、Ｓel(2)、Ｓel(3)を順番に排他的にＨレベルとする。なお、図４では省略しているが、制御回路５は、制御信号Ｓel(1)、Ｓel(2)、Ｓel(3)とは論理反転の関係にある制御信号／Ｓel(1)、／Ｓel(2)、／Ｓel(3)についても出力している。これによって、デマルチプレクサ３０は、各グループにおいてトランスミッションゲート３４がそれぞれ左端列、中央列、右端列の順番でオンすることで、各保持容量４４の第１電極ｈ1にデータ信号を順次に供給する。
【００３８】
ここで、図９に示されるように、ｊ番目のグループに属する左端列のトランスミッションゲート３４が制御信号Ｓel(1)、／Ｓel(1)によってオンしたとき、保持容量４４の第１電極ｈ1は、初期化された電位Ｖrefからデータ信号Ｖd(j)の電位に、すなわちｉ行（３ｊ−２）列の画素の指定階調に応じた電位に変化する。このときの第１電極ｈ1の電位変化分をΔＶとして、変化後の電位を（Ｖref＋ΔＶ）として表すことにする。一方、データ線１４の電位Ｖdataは、保持容量４４の第２電極ｈ2に電気的に接続されるので、第１電極ｈ1の電位から第１電極ｈ1の電位変化分ΔＶに容量比ｋ1を乗じた値だけ、第１電極ｈ1の電位の変化方向にシフトした値（Ｖdata＝Ｖini＋ｋ1・ΔＶ）となる。なお、容量比ｋ1は、Ｃrf1/（Ｃdt＋Ｃrf1）である。
【００３９】
データ線１４の電位Ｖdataは、トランスミッションゲート３４がオンした場合に直ちに目的の電位（Ｖini＋ｋ1・ΔＶ）に変化するのが理想的である。しかし、（３ｊ−２）列のデータ線１４の電位Ｖdataについて図４に例示される通り、実際には、データ線１４の電位Ｖdataは、トランスミッションゲート３４がオンした時点から、不安定に変動する期間を経て、目的の電位で安定する。本実施形態の供給期間は、各列のデータ線１４の電位Ｖdataが安定するのに十分な時間長に設定されている。したがって、各データ線１４の電位Ｖdataは、供給期間の終了時において目的の電位（Ｖdata＝Ｖini＋ｋ1・ΔＶ）で安定する。供給期間では、トランジスター１２２がオフ状態に維持されることでトランジスター１２１のゲートはデータ線１４から絶縁された状態にあるから、供給期間内（第１電極ｈ1に対するデータ信号の供給直後）での電位Ｖdataの不安定な変動は、トランジスター１２１のゲートノードｇの電位には影響しない。
【００４０】
＜書込期間＞
供給期間の後に（ｅ）の書込期間に至る。書込期間では、走査信号Ｇwr(i)がＬレベルになるので、図１０に示すように、画素回路１１０においてはトランジスター１２２がオンする。具体的には、ｉ行目の走査信号Ｇwr(i)がローレベルに設定されることでｉ行の３ｎ個の画素回路の各々におけるトランジスター１２２が一斉にオン状態に遷移する。以上の説明から理解される通り、ｊ番目のグループに属する（３ｊ−２）列、（３ｊ−１）列、（３ｊ）列の各列に着目すると、供給期間では、各列の画素回路１１０におけるトランジスター１２２がオフ状態に維持された状態で、第１電極ｈ1に対するデータ信号の供給により各列のデータ線１４の電位が順番にデータ信号に応じた電位に設定される一方、供給期間の経過後の書込期間では、ｉ番目のグループに属する各列の画素回路１１０のトランジスター１２２が一斉にオン状態に制御される。
【００４１】
書込期間において、トランジスター１２２がオンすると、データ線１４とトランジスター１２１のゲートノードｇとが電気的に導通するため、ゲートノードｇの電位は、データ線１４の電位Ｖdataに応じた電位（したがってデータ信号に応じた電位）に変動する。具体的には、保持容量１３２の容量Ｃpixを便宜的に無視すると、トランジスター１２１のゲートノードｇの電位は、供給期間の終点におけるデータ線１４の電位Ｖdata（＝Ｖini＋ｋ1・ΔＶ）に略等しい電位に変動する。
図１１は、書込期間におけるデータ信号の電位とゲートノードｇの電位との関係を示す図である。制御回路５から供給されるデータ信号は、上述したように画素の指定階調に応じて最小値Ｖminから最大値Ｖmaxまでの電位範囲を取り得る。本実施形態では、当該データ信号が直接ゲートノードｇに書き込まれるのではなく、図に示されるようにレベルシフトされて、ゲートノードｇに書き込まれる。
このとき、ゲートノードｇの電位範囲ΔＶgateは、データ信号の電位範囲ΔＶdata（＝Ｖmax−Ｖmin）に容量比ｋ1を乗じた値に圧縮される。例えば、Ｃrf1：Ｃdt＝１：９となるように保持容量４４、５０の容量を設定したとき、ゲートノードｇの電位範囲ΔＶgateをデータ信号の電位範囲ΔＶdataの１／１０に圧縮することができる。
また、ゲートノードｇの電位範囲ΔＶgateを、データ信号の電位範囲ΔＶdataに対してどの方向にどれだけシフトさせるかについては、電位Ｖini、Ｖrefで定めることができる。これは、データ信号の電位範囲ΔＶdataが、電位Ｖrefを基準にして容量比ｋ1で圧縮されるとともに、その圧縮範囲が電位Ｖiniを基準にシフトされたものが、ゲートノードｇの電位範囲ΔＶgateとなるためである。
【００４２】
このようにｉ行目の書込期間において、ｉ行目の画素回路１１０のゲートノードｇには、指定階調に応じた電位のデータ信号を保持容量４４、５０の容量比に応じてレベルシフトした電位が書き込まれる。やがて走査信号Ｇwr(i)がＨレベルになり、トランジスター１２２がオフする。これによって書込期間が終了して、ゲートノードｇの電位は、シフトされた値に確定する。
【００４３】
前述の通り、書込期間の経過後の発光期間では、制御信号Ｇel(i)がローレベルに遷移する。具体的には、ｉ行目の制御信号Ｇel(i)がローレベルに設定されることでｉ行の３ｎ個の画素回路１１０の各々におけるトランジスター１２４が一斉にオン状態に遷移する。したがって、発光期間では、ＯＬＥＤ１３０がデータ信号に応じた輝度で発光する。さらに、このようなｉ行目の動作は、実際には、１フレームの期間において１、２、３、…、（ｍ−１）、ｍ行目の順番で実行されるとともに、フレーム毎に繰り返される。
【００４４】
ところで、供給期間にてトランジスター１２２をオン状態に維持したままデータ信号を第１電極ｈ1に供給する構成（以下「対比例」）では、第１電極ｈ1に対するデータ信号の供給直後のデータ線１４の電位Ｖdataの変動がトランジスター１２２を介してトランジスター１２１のゲートノードｇに波及するため、トランジスター１２１のゲートノードｇの電位は、データ信号に対応する目標の電位とは異なる電位に設定され得る。したがって、対比例においては、ＯＬＥＤ１３０の輝度に誤差が発生し得る。本実施形態では、供給期間にてトランジスター１２２がオフ状態に維持されることでデータ線１４とトランジスター１２１のゲートノードｇとが電気的に絶縁されるから、第１電極ｈ1にデータ信号を供給した直後におけるデータ線１４の電位Ｖdataの不安定な変動がトランジスター１２１のゲートノードｇまで波及しない。したがって、対比例と比較すると、トランジスター１２１のゲートノードｇの電位がデータ信号に応じた目標の電位に高精度に設定され、結果的にＯＬＥＤ１３０の輝度の誤差を低減する（ひいては表示品位を向上する）ことが可能である。
【００４５】
＜第２実施形態＞
第１実施形態において、トランジスター１２１の閾値電圧が画素回路１１０毎にばらついていると、表示画面の一様性を損なうような表示ムラが発生する。そこで、次にトランジスター１２１における閾値電圧のばらつきを補償した第２実施形態について説明する。なお、以下においては説明の重複を避けるために、第１実施形態との相違する部分を中心に説明することにする。
【００４６】
図１２は、第２実施形態に係る電気光学装置１０の構成を示す図である。
この図に示した第２実施形態が第１実施形態（図２参照）と相違する点は、第１に、給電線１６が設けられている点、第２に、レベルシフト回路４０の一部が異なる点、および、第３に、画素回路１１０の構成並びに動作が異なる点、にある。
【００４７】
まず、第１の相違点については、給電線１６が表示部１００の各列においてデータ線１４に沿ってそれぞれ設けられている。各給電線１６には電位Ｖorstが共通に給電されている。また、各列の保持容量５０の他端は、対応する列の給電線１６にそれぞれ接続されている。
第２の相違点については、第１実施形態におけるトランジスター４６（図２参照）が、図１２におけるトランジスター４３に置き換わっている。このトランジスター４３のゲートには、制御信号Ｇrefが、制御回路５から各列にわたって共通に供給される。
【００４８】
図１３を参照して第３の相違点について説明する。図１３は、第２実施形態に係る電気光学装置１０の画素回路１１０の構成を示す図である。この図に示した画素回路１１０が図３に示した回路構成と相違する点は、ＰチャネルＭＯＳ型のトランジスター１２３、１２５が追加されている点にある。
このうち、トランジスター１２３にあっては、ゲートノードにｉ行目に対応した制御信号Ｇcmp(i)が供給され、ソースノードがトランジスター１２１のドレインノードに接続されている。また、トランジスター１２３のドレインノードは、トランジスター１２１のゲートノードｇに接続されている。
一方、トランジスター１２５にあっては、ゲートノードにｉ行目に対応した制御信号Ｇorst(i)が供給され、ソースノードがＯＬＥＤ１３０のアノードに接続されている。また、トランジスター１２５のドレインノードは、対応する列の給電線１６に接続されている。
なお、トランジスター１２３、１２５の基板電位についても、トランジスター１２１、１２２、１２４と同様に電位Ｖelとしている。
【００４９】
＜第２実施形態の動作＞
図１４を参照して第２実施形態に係る電気光学装置１０の動作について説明する。図１４は、第２実施形態における動作を説明するためのタイミングチャートである。
この図に示されるように、走査信号Ｇwr(1)〜Ｇwr(m)が順次Ｌレベルに切り替えられて、１フレームの期間において１〜ｍ行目の走査線１２が１水平走査期間（Ｈ）毎に順番に走査される点については、第１実施形態と同様である。ただし、第２実施形態ではｉ行目の走査期間が、第１実施形態と比較して、（ｂ）で示される初期化期間と（ｄ）で示される供給期間との間に、（ｃ）で示される補償期間が挿入されている。このため、第２実施形態では、時間の順でいえば（発光期間）→初期化期間→補償期間→供給期間→書込期間→（発光期間）というサイクルの繰り返しとなる。
【００５０】
＜発光期間＞
第２実施形態では、図１４に示されるように、ｉ行目の発光期間では走査信号Ｇwr(i)がＨレベルである。また、論理信号である制御信号Ｇel(i)、Ｇcmp(i)、Ｇorst(i)のうち、制御信号Ｇel(i)がＬレベルであり、制御信号Ｇcmp(i)、Ｇorst(i)がＨレベルである。
このため、図１５に示されるようにｉ行（３ｊ−２）列の画素回路１１０においては、トランジスター１２４がオンする一方、トランジスター１２２、１２３、１２５がオフする。したがって、トランジスター１２１は、ゲート・ソース間の電圧Ｖgsに応じた電流ＩdsをＯＬＥＤ１３０に供給する。
後述するように、第２実施形態において発光期間での電圧Ｖgsは、トランジスター１２１の閾値電圧から、データ信号の電位に応じてレベルシフトした値である。このため、ＯＬＥＤ１３０には、指定階調に応じた電流がトランジスター１２１の閾値電圧を補償した状態で供給されることになる。
【００５１】
＜初期化期間＞
ｉ行目の走査期間に至って、まず（ｂ）の初期化期間が開始する。初期化期間では、発光期間と比較して、制御信号Ｇel(i)がＨレベルに、制御信号Ｇorst(i)がＬレベルに、それぞれ変化する。
このため、図１６に示されるように、ｉ行（３ｊ−２）列の画素回路１１０においてはトランジスター１２４がオフし、トランジスター１２５がオンする。これによってＯＬＥＤ１３０に供給される電流の経路が遮断されるとともに、ＯＬＥＤ１３０のアノードが電位Ｖorstにリセットされる。
ＯＬＥＤ１３０は、上述したようにアノードとカソードとで有機ＥＬ層を挟持した構成であるので、アノード・カソードの間には、実際には図において破線で示されるように容量Ｃoledが並列に寄生する。発光期間においてＯＬＥＤ１３０に電流が流れていたときに、当該ＯＬＥＤ１３０のアノード・カソード間の両端電圧が当該容量Ｃoledによって保持されるが、この保持電圧は、トランジスター１２５のオンによってリセットされる。このため、第２実施形態では、後の発光期間においてＯＬＥＤ１３０に再び電流が流れるときに、当該容量Ｃoledで保持されている電圧の影響を受けにくくなる。
【００５２】
詳細には、例えば高輝度の表示状態から低輝度の表示状態に転じるときに、リセットしない構成であると、輝度が高い（大電流が流れた）ときの高電圧が保持されてしまうので、次に、小電流を流そうとしても、過剰な電流が流れてしまって、低輝度の表示状態にさせることができなくなる。これに対して、第２実施形態では、トランジスター１２５のオンによってＯＬＥＤ１３０のアノードの電位がリセットされるので、低輝度側の再現性が高められることになる。
なお、第２実施形態において、電位Ｖorstについては、当該電位Ｖorstと共通電極１１８の電位Ｖctとの差がＯＬＥＤ１３０の発光閾値電圧を下回るように設定される。このため、初期化期間（次に説明する補償期間、供給期間および書込期間）において、ＯＬＥＤ１３０はオフ（非発光）状態である。
【００５３】
一方、初期化期間では、制御信号／ＧiniがＬレベルになり、制御信号ＧrefがＨレベルになるので、レベルシフト回路４０においては、トランジスター４５、４３がそれぞれオンする。このため、保持容量４４の第２電極ｈ2と電気的に接続されるデータ線１４は電位Ｖiniに、保持容量４４の第１電極ｈ1は電位Ｖrefに、それぞれ初期化される。
【００５４】
第２実施形態において電位Ｖiniについては、（Ｖel−Ｖini）がトランジスター１２１の閾値電圧｜Ｖth｜よりも大きくなるように設定される。なお、トランジスター１２１はＰチャネル型であるので、ソースノードの電位を基準とした閾値電圧Ｖthは負である。そこで、高低関係の説明で混乱が生じるのを防ぐために、閾値電圧については、絶対値の｜Ｖth｜で表し、大小関係で規定することにする。
また、第２実施形態において電位Ｖrefについては、データ信号Ｖd(1)〜Ｖd(n)が取り得る電位に対して、後の供給期間において第１電極ｈ1の電位が上昇変化するような値に、例えば最低値Ｖminよりも低くなるように設定される。
【００５５】
＜補償期間＞
ｉ行目の走査期間では、次に（ｃ）の補償期間となる。補償期間では初期化期間と比較して、図１４に示すように、走査信号Ｇwr(i)および制御信号Ｇcmp(i)がＬレベルとなる。一方、補償期間では、制御信号ＧrefがＨレベルに維持された状態で制御信号／ＧiniがＨレベルになる。
このため、図１７に示されるように、レベルシフト回路４０においては、トランジスター４３がオンした状態でトランジスター４５がオフすることによって、第１電極ｈ1が電位Ｖrefに固定される。一方、ｉ行（３ｊ−２）列の画素回路１１０ではトランジスター１２２がオンすることによって、ゲートノードｇがデータ線１４に電気的に接続されるので、補償期間の開始当初においてゲートノードｇは電位Ｖiniとなる。
【００５６】
補償期間においてトランジスター１２３がオンするので、トランジスター１２１はダイオード接続となる。このため、トランジスター１２１にはドレイン電流が流れて、ゲートノードｇおよびデータ線１４を充電する。詳細には、電流が、給電線１１６→トランジスター１２１→トランジスター１２３→トランジスター１２２→（３ｊ−２）列目のデータ線１４という経路で流れる。このため、トランジスター１２１のオンによって互いに接続状態にあるデータ線１４およびゲートノードｇは、電位Ｖiniから上昇する。
ただし、上記経路に流れる電流は、ゲートノードｇが電位（Ｖel−｜Ｖth｜）に近づくにつれて流れにくくなるので、補償期間の終了に至るまでに、データ線１４およびゲートノードｇは電位（Ｖel−｜Ｖth｜）で飽和する。したがって、保持容量１３２は、補償期間の終了に至るまでにトランジスター１２１の閾値電圧｜Ｖth｜を保持することになる。
【００５７】
＜供給期間＞
補償期間が終了すると、図１４に示されるように、制御信号Ｇcmp(i)がＨレベルになるので、トランジスター１２１のダイオード接続が解除される一方、制御信号ＧrefがＬレベルになるので、トランジスター４３がオフになる。また、その後に供給期間が開始すると、走査信号Ｇwr(i)がＨレベルになるので、図１８に示されるように、トランジスター１２２がオフする。すなわち、供給期間においては、第１実施形態と同様に、トランジスター１２１のゲートノードｇとデータ線１４との絶縁が維持される。また、供給期間の開始時においては、データ線１４の電位Ｖdataは、保持容量５０によって補償期間の終了時の電位に維持されている。
【００５８】
ｉ行目の供給期間において制御回路５は、ｊ番目のグループでいえば、データ信号Ｖd(j)を順番に、ｉ行（３ｊ−２）列、ｉ行（３ｊ−１）列、ｉ行（３ｊ）列の画素の指定階調に応じた電位に切り替える。一方、制御回路５は、データ信号の電位の切り替えに合わせて制御信号Ｓel(1)、Ｓel(2)、Ｓel(3)を順番に排他的にＨレベルとする。制御回路５は、図１４では省略しているが、制御信号Ｓel(1)、Ｓel(2)、Ｓel(3)とは論理反転の関係にある制御信号／Ｓel(1)、／Ｓel(2)、／Ｓel(3)についても出力している。これによって、デマルチプレクサ３０では、各グループにおいてトランスミッションゲート３４がそれぞれ左端列、中央列、右端列の順番でオンする。
【００５９】
ここで、左端列のトランスミッションゲート３４が制御信号Ｓel(1)、／Ｓel(1)によってオンしたとき、保持容量４４の第１電極ｈ1は、補償期間における電位Ｖrefから、データ信号Ｖd(j)の電位に、すなわちｉ行（３ｊ−２）列の画素の指定階調に応じた電位（Ｖref＋ΔＶ）に変化する。データ線１４の電位Ｖdataは、保持容量４４の第２電極ｈ2と電気的に接続されているので、補償期間における電位（Ｖel−｜Ｖth｜）から、第１電極ｈ1の電位変化分ΔＶに容量比ｋ1を乗じた値だけ上昇する方向にシフトした値（Ｖdata＝Ｖel−｜Ｖth｜＋ｋ1・ΔＶ）となる。
【００６０】
図１４に示すように、データ線１４の電位Ｖdataは、トランスミッションゲート３４がオンした時点から、不安定に変動する期間を経て目的の電位で安定する。第２実施形態においても、第１実施形態と同様に、供給期間では、トランジスター１２２がオフ状態に維持されることでトランジスター１２１のゲートノードｇはデータ線１４から絶縁された状態にある。また、供給期間は、各列のデータ線１４の電位Ｖdataが安定するのに十分な時間長に設定されている。したがって、供給期間での電位Ｖdataの不安定な変動はトランジスター１２１のゲートノードｇの電位には影響しない。
【００６１】
＜書込期間＞
供給期間の後に（ｅ）の書込期間に至る。書込期間では、図１４に示すように、走査信号Ｇwr(i)がＬレベルになる。したがって、書込み期間では、図１９に示すように、画素回路１１０においてはトランジスター１２２がオンする。本実施形態においては、ｉ行目の走査信号Ｇwr(i)がローレベルに設定されることでｉ行の３ｎ個の画素回路の各々におけるトランジスター１２２が一斉にオン状態に遷移する。以上の説明から理解される通り、ｊ番目のグループに属する（３ｊ−２）列、（３ｊ−１）列、（３ｊ）列の各列に着目すると、供給期間では、各列の画素回路１１０におけるトランジスター１２２がオフ状態に維持された状態で、第１電極ｈ1に対するデータ信号の供給により各列のデータ線１４の電位が順番にデータ信号に応じた電位Ｖdataに設定される一方、供給期間の経過後の書込期間では、ｉ番目のグループに属する各列の画素回路１１０のトランジスター１２２が一斉にオン状態に制御される。
【００６２】
書込期間において、トランジスター１２２がオンすると、データ線１４とゲートノードｇとが電気的に導通するため、トランジスター１２１のゲートノードｇの電位は、補償期間の終了時の電位（Ｖel−｜Ｖth｜）からデータ線１４の電位Ｖdataに応じた電位（したがってデータ信号に応じた電位）に変動する。具体的には、保持容量１３２の容量Ｃpixを便宜的に無視すると、トランジスター１２１のゲートノードｇの電位は、供給期間の終点におけるデータ線１４の電位Ｖdataに略等しい電位（Ｖel−｜Ｖth｜＋ｋ1・ΔＶ）に設定される。したがって、書込期間の経過後の発光期間において制御信号Ｇel(i)がローレベルに遷移すると、ＯＬＥＤ１３０がデータ信号に応じた輝度で発光する。本実施形態においては、第ｉ行目の制御信号Ｇel(i)がローレベルに設定されることで第ｉ行の３ｎ個の画素回路の各々におけるトランジスター１２４が一斉にオン状態に遷移する。さらに、このようなｉ行目の動作は、実際には、１フレームの期間において１、２、３、…、（ｍ−１）、ｍ行目の順番で実行されるとともに、フレーム毎に繰り返される。
【００６３】
第２実施形態においても第１実施形態と同様の効果が実現される。また、第２実施形態によれば、トランジスター１２１によってＯＬＥＤ１３０に供給される電流Ｉdsでは、閾値電圧の影響が相殺される。このため、第２実施形態によれば、トランジスター１２１の閾値電圧が画素回路１１０毎にばらついても、そのばらつきが補償されて、指定階調に応じた電流がＯＬＥＤ１３０に供給されるので、ＯＬＥＤ１３０の輝度の誤差（表示ムラ）が抑制された高品位の表示が可能になる。
【００６４】
＜第３実施形態＞
第２実施形態においては、レベルシフト回路４０における保持容量４４の第１電極ｈ1に対してデマルチプレクサ３０からデータ信号を直接に供給する構成を例示した。このため、第２実施形態においては、レベルシフト回路４０にデータ信号が供給される期間と初期化期間および補償期間とを重複させることができない。
そこで次に、このような時間的な制約を緩和することができる第３実施形態について説明する。なお、以下においては説明の重複を避けるために、第２実施形態との相違する部分を中心に説明することにする。
【００６５】
図２０は、第３実施形態に係る電気光学装置１０の構成を示す図である。
この図に示した第３実施形態が図１２に示した第２実施形態と相違する点は、主としてレベルシフト回路４０の各列において保持容量４１およびトランスミッションゲート４２が設けられている点にある。
【００６６】
詳細には、各列においてトランスミッションゲート４２は、トランスミッションゲート３４の出力端と保持容量４４の第１電極ｈ1との間に、電気的に介挿されている。すなわち、トランスミッションゲート４２の入力端がトランスミッションゲート３４の出力端に接続され、トランスミッションゲート４２の出力端が保持容量４４の第１電極ｈ1に接続されている。
なお、各列のトランスミッションゲート４２は、制御回路５から供給される制御信号ＧcplがＨレベルであるとき（制御信号／ＧcplがＬレベルであるとき）に一斉にオンする。
【００６７】
また、各列において保持容量４１の一端は、トランスミッションゲート３４の出力端（トランスミッションゲート４２の入力端）に接続され、保持容量４１の他端は、固定電位、例えば電位Ｖssに共通に接地されている。図２０では省略しているが、保持容量４１の容量をＣrf2とする。
【００６８】
＜第３実施形態の動作＞
図２１を参照して第３実施形態に係る電気光学装置１０の動作について説明する。図２１は、第３実施形態における動作を説明するためのタイミングチャートである。
この図に示されるように、走査信号Ｇwr(1)〜Ｇwr(m)が順次Ｌレベルに切り替えられて、１フレームの期間において１〜ｍ行目の走査線１２が１水平走査期間（Ｈ）毎に順番に走査される点については、第２実施形態と同様である。また、第３実施形態ではｉ行目の走査期間が、（ｂ）で示される初期化期間、（ｃ）で示される補償期間、（ｄ）で示される供給期間、（ｅ）で示される書込期間の順となっている点についても、第２実施形態と同様である。第３実施形態において（ｄ）の供給期間は、制御信号ＧcplがＬからＨレベルになるとき（制御信号／ＧcplがＬレベルになったとき）から走査信号がＬからＨレベルになるときまでの期間である。
第３実施形態においても、第２実施形態と同様に、時間の順でいえば（発光期間）→初期化期間→補償期間→供給期間→書込期間→（発光期間）というサイクルの繰り返しとなる。ただし、第３実施形態では、第２実施形態と比較して、（ｂ）の初期化期間と（ｃ）の補償期間とにわたって、制御回路５からデータ信号が供給され得る点において第２実施形態と相違している。
【００６９】
＜発光期間＞
第３実施形態では、図２１に示されるように、ｉ行目の発光期間では走査信号Ｇwr(i)がＨレベルであり、また、制御信号Ｇel(i)がＬレベルであり、制御信号Ｇcmp(i)、Ｇorst(i)がＨレベルである。
このため、図２２に示されるようにｉ行（３ｊ−２）列の画素回路１１０においては、トランジスター１２４がオンする一方、トランジスター１２２、１２３、１２５がオフするので、当該画素回路１１０における動作は基本的に第２実施形態と同様となる。すなわち、トランジスター１２１は、ゲート・ソース間の電圧Ｖgsに応じた電流ＩdsをＯＬＥＤ１３０に供給することになる。
【００７０】
＜初期化期間＞
ｉ行目の走査期間に至って、まず（ｂ）の初期化期間が開始する。
第３実施形態において初期化期間では、発光期間と比較して、制御信号Ｇel(i)がＨレベルに、制御信号Ｇorst(i)がＬレベルに、それぞれ変化する。
このため、図２３に示されるように、ｉ行（３ｊ−２）列の画素回路１１０においてはトランジスター１２４がオフし、トランジスター１２５がオンする。これによってＯＬＥＤ１３０に供給される電流の経路が遮断されるとともに、トランジスター１２５のオンによってＯＬＥＤ１３０のアノードが電位Ｖorstにリセットされるので、当該画素回路１１０における動作は基本的に第２実施形態と同様となる。
【００７１】
一方、第３実施形態において初期化期間では、制御信号／ＧiniがＬレベルになり、制御信号ＧrefがＨレベルになるとともに、制御信号ＧcplがＬレベルになる。このため、レベルシフト回路４０においては、図２３に示されるようにトランジスター４５、４３がそれぞれオンするとともに、トランスミッションゲート４２がオフする。したがって、保持容量４４の第２電極ｈ2に電気的に接続するデータ線１４は電位Ｖiniに、保持容量４４の第１電極ｈ1は電位Ｖrefに、それぞれ初期化される。
第３実施形態では電位Ｖrefについては、データ信号Ｖd(1)〜Ｖd(n)が取り得る電位に対して、後の供給期間において第１電極ｈ1の電位が上昇変化するような値に設定される。
【００７２】
上述したように、第３実施形態において制御回路５は、初期化期間および補償期間にわたってデータ信号を供給する。すなわち、制御回路５は、ｊ番目のグループでいえば、データ信号Ｖd(j)を順番に、ｉ行（３ｊ−２）列、ｉ行（３ｊ−１）列、ｉ行（３ｊ）列の画素の指定階調に応じた電位に切り替える一方、データ信号の電位の切り替えに合わせて制御信号Ｓel(1)、Ｓel(2)、Ｓel(3)を順番に排他的にＨレベルとする。これによって、デマルチプレクサ３０では、各グループにおいてトランスミッションゲート３４がそれぞれ左端列、中央列、右端列の順番でオンする。
ここで、初期化期間において、ｊ番目のグループに属する左端列のトランスミッションゲート３４が制御信号Ｓel(1)によってオンする場合、図２３に示されるように、データ信号Ｖd(j)が保持容量４１の一端に供給されるので、当該データ信号は、保持容量４１によって保持される。
【００７３】
＜補償期間＞
ｉ行目の走査期間においては、次に（ｃ）の補償期間となる。図２１に示すように、補償期間では、初期化期間と比較して、走査信号Ｇwr(i)がＬレベルに、制御信号Ｇcmp(i)がＬレベルに、それぞれ変化する。
このため、図２４に示されるように、ｉ行（３ｊ−２）列の画素回路１１０ではトランジスター１２２がオンして、ゲートノードｇがデータ線１４に電気的に接続される一方、トランジスター１２３のオンによって、トランジスター１２１がダイオード接続となる。
したがって、電流が、給電線１１６→トランジスター１２１→トランジスター１２３→トランジスター１２２→（３ｊ−２）列目のデータ線１４という経路で流れるので、ゲートノードｇの電位およびデータ線１４の電位Ｖdataは、電位Ｖiniから上昇し、やがて（Ｖel−｜Ｖth｜）に飽和する。したがって、第３実施形態においても、保持容量１３２は、補償期間の終了に至るまでにトランジスター１２１の閾値電圧｜Ｖth｜を保持することになる。
【００７４】
第３実施形態において、補償期間では、制御信号ＧrefがＨレベルを維持した状態で制御信号／ＧiniがＨレベルになるので、レベルシフト回路４０において保持容量４４の第１電極ｈ1は電位Ｖrefに固定される。
また、補償期間において、ｊ番目のグループに属する左端列のトランスミッションゲート３４が制御信号Ｓel(1)によってオンする場合、図２４に示されるように、データ信号Ｖd(j)が保持容量４１によって保持される。
【００７５】
なお、すでに初期化期間において、ｊ番目のグループに属する左端列のトランスミッションゲート３４が制御信号Ｓel(1)によってオンした場合には、補償期間において、当該トランスミッションゲート３４はオンすることはないが、保持容量４１にデータ信号Ｖd(j)が保持されている点において変わりはない。
また、補償期間が終了すると、制御信号Ｇcmp(i)がＨレベルになるので、トランジスター１２１のダイオード接続が解除される。
【００７６】
第３実施形態においては、図２１に示すように、補償期間が終了してから次の供給期間が開始するまでの間において制御信号ＧrefがＬレベルになるため、トランジスター４３がオフになる。
【００７７】
＜供給期間＞
供給期間では、図２１に示されるように、制御信号ＧcplがＨレベルとなる（制御信号／ＧcplがＬレベルとなる）。このため、図２５に示されるように、レベルシフト回路４０においてトランスミッションゲート４２がオンするので、保持容量４１に保持されたデータ信号が保持容量４４の第１電極ｈ1に供給され、第１電極ｈ1の電位は、補償期間における電位Ｖrefから電位（Ｖref＋ΔＶ）に変化する。
【００７８】
一方、データ線１４の電位Ｖdataは、保持容量４４の第２電極ｈ2にデータ線１４が接続されているので、補償期間における電位（Ｖel−｜Ｖth｜）から、第１電極ｈ1の電位変化分ΔＶに容量比ｋ2を乗じた値だけ上昇する方向にシフトした値（Ｖel−｜Ｖth｜＋ｋ2・ΔＶ）となる。なお、容量比ｋ2はＣdt、Ｃrf1、Ｃrf2の容量比である。
【００７９】
以上の説明から理解される通り、第３実施形態においては、初期化期間または補償期間においてｊ番目のグループに属する各列のトランスミッションゲート３４がｉ行（３ｊ−２）列、ｉ行（３ｊ−１）列、ｉ行（３ｊ）列の順にオン状態に制御され、保持容量４１に対してデータ信号が順次に供給される。供給期間において、トランジスター１２２がオフ状態に維持された状態で、トランスミッションゲート４２をオンすることで各列の第１電極ｈ1に一斉にデータ信号が供給されて、データ線１４の電位Ｖdataがデータ信号に応じて設定される。
【００８０】
図２１に示すように、データ線１４の電位Ｖdataは、トランスミッションゲート４２がオンした時点から、大きさが不安定に変動する期間を経て、目的の電位で安定する。供給期間では、トランジスター１２２がオフ状態に維持されることでトランジスター１２１のゲートはデータ線１４から絶縁された状態にある。また、供給期間は、各列のデータ線１４の電位Ｖdataが安定するのに十分な時間長に設定されている。したがって、不安定な電位Ｖdataの変動はトランジスター１２１のゲートの電位には影響しない。
【００８１】
＜書込期間＞
供給期間の後に（ｅ）の書込期間に至る。書込期間では、図２１に示すように、走査信号Ｇwr(i)がＬレベルになる。したがって、書込み期間では、図２６に示すように、画素回路１１０においてはトランジスター１２２がオンする。トランジスター１２２がオンすると、データ線１４とゲートノードｇとが電気的に導通するため、ゲートノードｇの電位はデータ線１４の電位Ｖdata（Ｖel−｜Ｖth｜＋ｋ2・ΔＶ）に応じて変動する。具体的には、保持容量１３２の容量Ｃpixを便宜的に無視すると、トランジスター１２１のゲートノードｇの電位は、供給期間の終点におけるデータ線１４の電位Ｖdata（＝Ｖel−｜Ｖth｜＋ｋ2・ΔＶ）に略等しい電位に変動する。したがって、その後の制御信号Ｇel(i)がローレベルに遷移する発光期間では、ＯＬＥＤ１３０がデータ信号とトランジスター１２１の閾値電圧Ｖthに応じた輝度で発光する。本実施形態においては、第ｉ行目の制御信号Ｇel(i)がローレベルに設定されることで第ｉ行の３ｎ個の画素回路の各々におけるトランジスター１２４が一斉にオン状態に遷移する。さらに、このようなｉ行目の動作は、実際には、１フレームの期間において１、２、３、…、（ｍ−１）、ｍ行目の順番で実行されるとともに、フレーム毎に繰り返される。
【００８２】
第３実施形態においても第１実施形態と同様の効果が実現される。また、第３実施形態によれば、制御回路５からデマルチプレクサ３０を介して供給されるデータ信号を保持容量４１に保持させる動作が、初期化期間から補償期間までにわたって実行される。このため、１水平走査期間に実行すべき動作について時間的な制約を緩和することができる。
例えば、補償期間においてゲート・ソース間電圧Ｖgsが閾値電圧に近づくにつれ、トランジスター１２１に流れる電流が低下するので、ゲートノードｇを電位（Ｖel−｜Ｖth｜）に収束するまで時間を要するが、第３実施形態では、第２実施形態と比較して図２１に示されるように補償期間を長く確保することができる。このため、第３実施形態によれば、第２実施形態と比較して、トランジスター１２１の閾値電圧のばらつきを、精度良く補償することができる。
また、データ信号の供給動作についても低速化することができる。
【００８３】
＜応用・変形例＞
本発明は、上述した実施形態や応用例などの実施形態等に限定されるものではなく、例えば次に述べるような各種の変形が可能である。また、次に述べる変形の態様は、任意に選択された一または複数を適宜に組み合わせることもできる。
【００８４】
前述の各実施形態では、供給期間を、各列のデータ線１４の電位Ｖdataが安定するのに十分な時間長に設定したが、供給期間の時間長は任意に設定され得る。例えば、第１電極ｈ1に対するデータ信号の供給直後における電位Ｖdataの不安定な変動は経時的に減衰する。したがって、第１電極ｈ1に対するデータ信号の供給の開始後でデータ線１４の電位Ｖdataが安定する以前に供給期間を終了する（すなわちトランジスター１２１をオン状態に遷移させる）構成でも、第１電極ｈ1に対するデータ信号の供給の時点でトランジスター１２１がオン状態に維持されている構成（対比例）と比較すれば、電位Ｖdataの変動の影響がトランジスター１２２のゲートノードｇの電位に波及する可能性が低減されるという前述の効果は確かに実現される。ただし、データ線１４の電位Ｖdataの不安定な変動の影響を確実に低減する観点からは、前述の各実施形態の例示の通り、供給期間を、第１電極ｈ1に対するデータ信号の供給の開始後にデータ線１４の電位Ｖdataが安定するのに十分な時間長に設定した構成が格別に好適である。
【００８５】
＜制御回路＞
実施形態において、データ信号を供給する制御回路５については電気光学装置１０とは別体としたが、制御回路５についても、走査線駆動回路２０やデマルチプレクサ３０、レベルシフト回路４０とともに、シリコン基板に集積化しても良い。
【００８６】
＜基板＞
実施形態においては、電気光学装置１０をシリコン基板に集積した構成としたが、他の半導体基板に集積した構成しても良い。また、ポリシリコンプロセスを適用してガラス基板等に形成しても良い。いずれにしても、画素回路１１０が微細化して、トランジスター１２１において、ゲート電圧Ｖgsの変化に対しドレイン電流が指数関数的に大きく変化する構成に有効である。
【００８７】
＜デマルチプレクサ＞
実施形態等では、データ線１４を３列毎にグループ化するとともに、各グループにおいてデータ線１４を順番に選択して、データ信号を供給する構成としたが、グループを構成するデータ線数については「２」であっても良いし、「４」以上であっても良い。
また、グループ化せずに、すなわちデマルチプレクサ３０を用いないで各列のデータ線１４にデータ信号を一斉に線順次で供給する構成でも良い。ここで、第１実施形態において、デマルチプレクサ３０を用いないで各列のデータ線１４にデータ信号を一斉に線順次で供給する構成とした場合、保持容量４４の第１電極ｈ1がデータ信号出力回路（制御回路５）における出力端に接続される。データ信号出力回路の出力インピーダンスが低いとき、データ信号が出力されない期間において第１電極ｈ1が接地レベルになるので、これを初期電位に用いることができる。
【００８８】
＜トランジスターのチャネル型＞
上述した実施形態等では、画素回路１１０におけるトランジスター１２１〜１２５をＰチャネル型で統一したが、Ｎチャネル型で統一しても良い。また、Ｐチャネル型およびＮチャネル型を適宜組み合わせても良い。
【００８９】
＜その他＞
実施形態等では、電気光学素子として発光素子であるＯＬＥＤを例示したが、例えば無機発光ダイオードやＬＥＤ（Light Emitting Diode）など、電流に応じた輝度で発光するものであれば良い。
【００９０】
＜電子機器＞
次に、実施形態等や応用例に係る電気光学装置１０を適用した電子機器について説明する。電気光学装置１０は、画素が小サイズで高精細な表示な用途に向いている。そこで、電子機器として、ヘッドマウント・ディスプレイを例に挙げて説明する。
【００９１】
図２７は、ヘッドマウント・ディスプレイの外観を示す図であり、図２８は、その光学的な構成を示す図である。
まず、図２７に示されるように、ヘッドマウント・ディスプレイ３００は、外観的には、一般的な眼鏡と同様にテンプル３１０や、ブリッジ３２０、レンズ３０１Ｌ、３０１Ｒを有する。また、ヘッドマウント・ディスプレイ３００は、図２８に示されるように、ブリッジ３２０近傍であってレンズ３０１Ｌ、３０１Ｒの奥側（図において下側）には、左眼用の電気光学装置１０Ｌと右眼用の電気光学装置１０Ｒとが設けられる。
電気光学装置１０Ｌの画像表示面は、図２８において左側となるように配置している。これによって電気光学装置１０Ｌによる表示画像は、光学レンズ３０２Ｌを介して図において９時の方向に出射する。ハーフミラー３０３Ｌは、電気光学装置１０Ｌによる表示画像を６時の方向に反射させる一方で、１２時の方向から入射した光を透過させる。
電気光学装置１０Ｒの画像表示面は、電気光学装置１０Ｌとは反対の右側となるように配置している。これによって電気光学装置１０Ｒによる表示画像は、光学レンズ３０２Ｒを介して図において３時の方向に出射する。ハーフミラー３０３Ｒは、電気光学装置１０Ｒによる表示画像を６時方向に反射させる一方で、１２時の方向から入射した光を透過させる。
【００９２】
この構成において、ヘッドマウント・ディスプレイ３００の装着者は、電気光学装置１０Ｌ、１０Ｒによる表示画像を、外の様子と重ね合わせたシースルー状態で観察することができる。
また、このヘッドマウント・ディスプレイ３００において、視差を伴う両眼画像のうち、左眼用画像を電気光学装置１０Ｌに表示させ、右眼用画像を電気光学装置１０Ｒに表示させると、装着者に対し、表示された画像があたかも奥行きや立体感を持つかのように知覚させることができる（３Ｄ表示）。
【００９３】
なお、電気光学装置１０については、ヘッドマウント・ディスプレイ３００のほかにも、ビデオカメラやレンズ交換式のデジタルカメラなどにおける電子式ビューファインダーにも適用可能である。
【符号の説明】
【００９４】
１０……電気光学装置、５……制御回路、７２……ケース、７４……基板、７６……端子、１２……走査線、１４……データ線、１６……給電線、１８……ＮＯＴ回路、２０……走査線駆動回路、３０……デマルチプレクサ、３４……トランスミッションゲート、４０……レベルシフト回路、４２……トランスミッションゲート、４３，４５，４６……トランジスター、４１，４４……保持容量、１００……表示部、１１０……画素回路、１２１〜１２５……トランジスター、１３０……発光素子、１３２……保持容量、５０……保持容量、１１６……給電線、１１８……共通電極、３００……ディスプレイ、３０１Ｌ，３０１Ｒ……レンズ、３０２Ｌ，３０２Ｒ……光学レンズ、３０３Ｌ，３０３Ｒ……ハーフミラー、３１０……テンプル、３２０……ブリッジ。
【図１】
2015004907.tif 000003
【図２】
2015004907.tif 000004
【図３】
2015004907.tif 000005
【図４】
2015004907.tif 000006
【図５】
2015004907.tif 000007
【図６】
2015004907.tif 000008
【図７】
2015004907.tif 000009
【図８】
2015004907.tif 000010
【図９】
2015004907.tif 000011
【図１０】
2015004907.tif 000012
【図１１】
2015004907.tif 000013
【図１２】
2015004907.tif 000014
【図１３】
2015004907.tif 000015
【図１４】
2015004907.tif 000016
【図１５】
2015004907.tif 000017
【図１６】
2015004907.tif 000018
【図１７】
2015004907.tif 000019
【図１８】
2015004907.tif 000020
【図１９】
2015004907.tif 000021
【図２０】
2015004907.tif 000022
【図２１】
2015004907.tif 000023
【図２２】
2015004907.tif 000024
【図２３】
2015004907.tif 000025
【図２４】
2015004907.tif 000026
【図２５】
2015004907.tif 000027
【図２６】
2015004907.tif 000028
【図２７】
2015004907.tif 000029
【図２８】
2015004907.tif 000030